(57)【要約】【課題】簡単な機構で吸込管内の流れを乱すことなく、増量や増圧運転が可能な遠心圧縮機のインレットガイドベーンを提供する。【解決手段】入口側の吸込管内壁３ａに嵌合された第１内接リング４ａと、前記吸込管３内の軸心に配置された回転軸５と、前記吸込管３入口側にあってこの回転軸５を回動自在に支持する軸受６と、この軸受６にその一端を固定され他端を前記第１内接リング４ａに固定して半径方向に配設された入口側心棒７ａと、前記吸込管３出口側にあってその一端を前記回転軸５に固定され、他端を前記吸込管内壁３ａに非接触に半径方向に配設された出口側心棒７ｂと、前記入口側心棒７ａと出口側心棒７ｂの各々に両端を固定して軸心方向に張設された可撓性ベーン８と、前記回転軸５の入口側端部に固定され、前記可撓性ベーン８に軸心方向のねじれを付与するための回転レバー９とを備えた遠心圧縮機のインレットガイドベーン１。【選択図】図１
2007291888.tif 000002
【特許請求の範囲】
【請求項１】
遠心圧縮機の吸込管内に設けられたインレットガイドベーンにおいて、前記吸込管入口側にあってこの吸込管内壁に嵌合された第１内接リングと、前記吸込管内の軸心に沿って長手方向に配置された回転軸と、前記吸込管入口側にあってこの回転軸を回動自在に支持する軸受と、この軸受にその一端を固定されるとともに他端を前記第１内接リングに固定して半径方向に配設された複数本の入口側心棒と、前記吸込管出口側にあってその一端を前記回転軸に固定されるとともに、他端を前記吸込管内壁に非接触に半径方向に配設され入口側心棒と同数の出口側心棒と、前記入口側心棒と出口側心棒の各々に両端を固定して軸心方向に張設された可撓性ベーンと、前記回転軸の吸込管入口側端部に固定され、これを回動させることによって前記可撓性ベーンに軸心方向のねじれを付与するための回転レバーとを備えてなることを特徴とするインレットガイドベーン。
【請求項２】
前記吸込管出口側にあって、この吸込管内壁に嵌合された第２内接リングを備えるとともに、前記出口側心棒の他端がこの第２内接リングに固定して半径方向に配設されたことを特徴とする請求項１に記載のインレットガイドベーン。
【請求項３】
遠心圧縮機の吸込管内に設けられたインレットガイドベーンにおいて、前記吸込管入口側にあってこの吸込管内壁に嵌合された第１内接リングと、前記吸込管出口側にあってこの吸込管内壁に回動自在に支持された第２内接リングと、前記吸込管入口側にあって前記第１内接リングに両端を固定され直径方向に交差して配設された複数本の入口側心棒と、前記第２内接リングに両端を固定され直径方向に交差して配設された入口側心棒と同数の出口側心棒と、前記入口側心棒と出口側心棒の各々に両端を固定して軸心方向に張設された可撓性ベーンと、前記第１内接リングまたは第２内接リングに固定され、これを回動させることによって前記可撓性ベーンに軸心方向のねじれを付与するための回転レバーとを備えてなることを特徴とするインレットガイドベーン。
【請求項４】
前記第１内接リングまたは第２内接リングの何れかが、前記吸込管軸心方向に摺動可能な構成としたことを特徴とする請求項２または３に記載のインレットガイドベーン。
【請求項５】
前記回転レバーによる回転角度を、流体シリンダーまたは電動シリンダーによって駆動制御するよう構成されたことを特徴とする請求項１乃至４の何れか一つの項に記載のインレットガイドベーン。
【発明の詳細な説明】
【技術分野】
【０００１】
本発明は、羽根車の回転により気体を圧縮する遠心圧縮機のインレットガイドベーンに関し、より詳しくは、簡単な機構で吸込管内の流れを乱さず、増量運転も可能なインレットガイドベーンに関するものである。
【背景技術】
【０００２】
圧縮機本体の吸込側に気体を吸い込む吸込管を備えた遠心圧縮機では、従来から、羽根車の回転数を変化させないで、流量、圧力を変化させる手段として吸込管内にインレットガイドベーンが設けられている。このような従来技術に関し、図７および図８を参照しながら以下説明する。図７はこのような従来例に係る遠心圧縮機の一実施例を示す縦断面図、図８は他の従来例に係るインレットガイドベーンの一実施例を示す縦断面図である。
【０００３】
図７において、この従来例に係る遠心圧縮機は、遠心羽根車２１とこの遠心羽根車２１の吸込側に回動可能に設けられた流量調整手段とを備えた遠心圧縮機１００において、前記流量調整手段は半円状の互いに逆方向に回転可動な２枚のベーン２６ｕ，２６ｄを有し、前記流量調整手段と前記遠心羽根車２１間に吸込流路２５を縮小する面積調整スペーサ２７を設け、この面積調整スペーサ２７の内径をほぼ前記羽根車２１の入口径Ｄ１程度とし、前記面積調整スペーサ２７が取り付けられる配管の内径ＤＳと面積調整スペーサ２７の内径Ｄ１との差を遠心羽根車２１の出口幅に応じて変化させたものである（特許文献１参照）。
【０００４】
しかしながら、上記従来例に係る遠心圧縮機によれば、半円形の形状を有する２枚の前記流量調整板２６ｕ，２６ｄは互いに逆方向に回転させるため、旋回流を発生させた場合の偏流が大きくまた渦を発生させ易いので、吸込流路２５内の流れ場における速度エネルギーの一部が渦損失として散逸してしまう結果エネルギー効率が悪くなること、また、前記流量調整板２６ｕ，２６ｄの傾き角度によって前記羽根車に振動を起こす領域が出来易いこと等の問題点を有する。
【０００５】
このような問題点を解決する従来例として、以下図８を用いて説明する。図８において、このインレットガイドベーンは、コンプレッサやブロワの羽根車の上流側に配設されるインレットガイドベーン３２において、羽根車３１の回転軸３８の延長上に配設した回転軸３５に回転自在に支持されかつ複数枚の翼３４を有する回転羽根と、この回転羽根の回転を制御するための調速機構をなすブレーキ３７とから構成されてなる（特許文献２参照）。
【特許文献１】特許第３５７８６６０号公報
【特許文献２】実用新案第２５３４５５２号公報
【発明の開示】
【発明が解決しようとする課題】
【０００６】
このようなインレットガイドベーン３２は、吸込流路内の流れ場を乱すことなく吸込気体を羽根車にスムーズに導入できるが、次のような欠点も有する。即ち、羽根車の回転数を下げることなく吐出流量や吐出圧を低減させることは可能であるが、逆に、流量や吐出圧を増加させる運転はできない。また、吐出流量や吐出圧の低減範囲も限定された小さい範囲でしか運転できない。
【０００７】
従って、本発明の目的は、簡単な機構で吸込管内の流れを乱すことなく、増量や増圧運転が可能な遠心圧縮機のインレットガイドベーンを提供することにある。
【課題を解決するための手段】
【０００８】
前記目的を達成するために、本発明の請求項１に係るインレットガイドベーンが採用した手段は、遠心圧縮機の吸込管内に設けられたインレットガイドベーンにおいて、前記吸込管入口側にあってこの吸込管内壁に固定して嵌合された第１内接リングと、前記吸込管内の軸心に沿って長手方向に配置された回転軸と、前記吸込管入口側にあってこの回転軸を回動自在に支持する軸受とを備えてなる。
【０００９】
同時に、このインレットガイドベーンは、前記軸受にその一端を固定されるとともに他端を前記第１内接リングに固定して半径方向に配設された複数本の入口側心棒と、前記吸込管出口側にあってその一端を前記回転軸に固定されるとともに、他端を前記吸込管内壁に非接触に半径方向に配設され入口側心棒と同数の出口側心棒と、前記入口側心棒と出口側心棒の各々に両端を固定して軸心方向に張設された可撓性ベーンと、前記回転軸の吸込管入口側端部に固定され、これを回動させることによって前記可撓性ベーンに軸心方向のねじれを付与するための回転レバーとを備えてなることを特徴とするものである。
【００１０】
本発明の請求項２に係るインレットガイドベーンが採用した手段は、請求項１に記載のインレットガイドベーンにおいて、前記吸込管出口側にあって、この吸込管内壁に嵌合された第２内接リングを備えるとともに、前記出口側心棒の他端がこの第２内接リングに固定して半径方向に配設されたことを特徴とするものである。
【００１１】
本発明の請求項３に係るインレットガイドベーンが採用した手段は、請求項１または２に記載のインレットガイドベーンにおいて、前記吸込管入口側にあってこの吸込管内壁に嵌合された第１内接リングと、前記吸込管出口側にあって、この吸込管内壁に回動自在に支持された第２内接リングとを備えてなる。
【００１２】
同時に、このインレットガイドベーンは、前記吸込管入口側にあって前記第１内接リングに両端を固定され直径方向に交差して配設された複数本の入口側心棒と、前記第２内接リングに両端を固定され直径方向に交差して配設された入口側心棒と同数の出口側心棒と、前記入口側心棒と出口側心棒とに両端を固定して軸心方向に張設された可撓性ベーンと、前記第１内接リングまたは第２内接リングに固定され、これを回動させることによって前記可撓性ベーンに軸心方向のねじれを付与するための回転レバーとを備えてなることを特徴とするものである。
【００１３】
本発明の請求項４に係るインレットガイドベーンが採用した手段は、請求項２または３に記載のインレットガイドベーンにおいて、前記第１内接リングまたは第２内接リングの何れかが、前記吸込管軸心方向に摺動可能な構成としたことを特徴とするものである。
【００１４】
本発明の請求項５に係るインレットガイドベーンが採用した手段は、請求項１乃至４のうちの何れか一つの項に記載のガイドベーンにおいて、前記回転レバーによる回転角度を、流体シリンダーまたは電動シリンダーによって駆動制御するよう構成されたことを特徴とするものである。
【発明の効果】
【００１５】
本発明の請求項１に係るインレットガイドベーンによれば、前記吸込管入口側内壁に嵌合された第１内接リングと、前記吸込管内の軸心に沿って配置された回転軸と、前記吸込管入口側にあってこの回転軸を回動自在に支持する軸受と、前記軸受にその一端を固定され他端を前記第１内接リングに固定して半径方向に配設された入口側心棒と、前記吸込管出口側にあってその一端を前記回転軸に固定されるとともに、他端を前記吸込管内壁に非接触に半径方向に配設された出口側心棒と、前記入口側心棒と出口側心棒の各々に両端を固定して軸心方向に張設された可撓性ベーンと、前記回転軸の吸込管入口側端部に固定された回転レバーとを備え、この回転レバーを回動させることによって前記可撓性ベーンに軸心方向のねじれを付与できるので、簡便な機構で前記吸込管内の流れを乱すことなく、効率的に増減量や増減圧の広範囲の運転が可能となる。
【００１６】
また、本発明の請求項２に係るインレットガイドベーンによれば、前記吸込管出口側にあって、この吸込管内壁に嵌合された第２内接リングを備えるとともに、前記出口側心棒の他端がこの第２内接リングに固定して半径方向に配設されたので、簡便な構成で前記可撓性ベーンの振動を抑制出来る。
【００１７】
更に、本発明の請求項３に係るインレットガイドベーンによれば、前記吸込管入口側内壁に嵌合された第１内接リングと、前記吸込管出口側内壁に回動自在に支持された第２内接リングと、前記吸込管入口側にあって前記第１内接リングに両端を固定され直径方向に交差して配設された入口側心棒と、前記第２内接リングに両端を固定され直径方向に交差して配設された出口側心棒と、前記入口側心棒と出口側心棒とに両端を固定して軸心方向に張設された可撓性ベーンと、前記第１内接リングまたは第２内接リングに固定され、これを回動させることによって前記可撓性ベーンに軸心方向のねじれを付与するための回転レバーとを備えてなるので、吸込管内に回転軸のない簡素な構成となり、吸込流に対する圧損を低減できる。
【００１８】
また更に、本発明の請求項４に係るインレットガイドベーンによれば、前記第１内接リングまたは第２内接リングの何れかが、前記吸込管内軸心方向に摺動可能な構成としたので、前記回転レバーの回動に伴う可撓性ベーンのねじれによる伸縮が吸収可能となった。
【００１９】
本発明の請求項５に係るインレットガイドベーンによれば、前記回転レバーによる回転角度を、流体シリンダーまたは電動シリンダーによって駆動制御するよう構成されたので、状況に応じた吐出流量の適正な増減量運転が可能となった。
【発明を実施するための最良の形態】
【００２０】
先ず、本発明の実施の形態１に係るインレットガイドベーンを、添付図１および図２を参照しながら以下説明する。図１は本発明の実施の形態１に係るインレットガイドベーンを説明するための縦断面図、図２は図１のＡ−Ａ矢視図である。
一般に、遠心圧縮機の羽根車２の吸込側には、この羽根車２と同心状に吸込管３が設けられており、本発明に係るインレットガイドベーンは、この吸込管３内に設けられたインレットガイドベーン１に関する。
【００２１】
そして、本発明の実施の形態１に係るインレットガイドベーン１は、次のような構成からなる。即ち、前記吸込管３内に吸い込まれた気体は、羽根車２に向かって矢印１０の方向の流れ場を形成する。この吸込管３の入口側には、吸込管内壁３ａに固定して嵌合された第１内接リング４ａが設けられている。そして、前記吸込管３内には、その軸心（羽根車２の軸心と同心）に沿って、回転軸５が長手方向に配置されている。また、前記吸込管３入口側には、この回転軸５を回動自在に支持する軸受６が設けられている。尚、この回転軸５は、その長手方向に若干量だけ往復動可能に構成されている。
【００２２】
この軸受６には複数本の入口側心棒７ａの一端が固定され、他端が半径方向に向かって配設されるとともに、前記第１内接リング４ａに固定されている。一方、前記吸込管３の出口側の前記回転軸５には、前記入口側心棒７ａと同数の出口側心棒７ｂの一端が固定され、他端が半径方向に向かって配設されるとともに、前記吸込管３の内壁３ａに接触しない構成をなしている。そして、前記入口側心棒７ａと出口側心棒７ｂの各々に、可撓性ベーン８が両端を固定して軸心方向に張設されている。
【００２３】
更に、前記回転軸５の吸込管３入口側端部には、これを回動させることによって前記可撓性ベーン８に軸心方向のねじれを付与するための回転レバー９が固定されてなる。この回転レバー９を回動させることによって、出口側心棒７ｂにこの回動運動を伝達し、可撓性ベーン８に軸方向のねじりを付与し、結果として、吸い込まれる気体に旋回流を発生させるのである。このような作用については、後程詳しく説明する。また、本発明において、回動とは、回転角度が３６０度以内であって、左右両方向の回転が可能な回転運動を言う。
【００２４】
このような本発明に係るガイドベーン１は、上記の如く回転レバー８を回動させることによって可撓性ベーン８に軸心方向のねじりを付与する。このねじりを自ら補う分、前記可撓性ベーン８の軸方向への直線長さが短縮されることになる。ところが、本発明の実施の形態１に係るガイドベーン１は、図１に示したように、前記出口側心棒７ｂの両端が、吸込管内壁３ａに固定されることなくフリーの状態に構成されているため、上記のように回転レバー９の回動によって可撓性ベーンにねじりを与えたとしても、その伸縮を阻害することはない。
【００２５】
また、図１および図２においては、インレットガイドベーン１を構成する可撓性ベーン８が、前記入口側心棒７ａと出口側心棒７ｂの各々の心棒間に固定して張設されている実施例を示したが、前記入口側心棒７ａと出口側心棒７ｂの各々を包含するように固定して軸心方向に張設されても良い。前記入口側および出口側心棒７ａ，７ｂは、ピアノ線やステンレス鋼棒等の硬質部材で構成するのが好ましい。また、前記可撓性ベーン８は、ＮＢＲをナイロン繊維からなる織物等で補強したゴムシートや、ＦＲＰシートあるいはステンレス鋼の極薄板等の可撓性を有するシート状物で構成するが好ましい。
【００２６】
次に、このような構成からなるインレットガイドベーンの作用について以下説明する。例えば、図２において、この圧縮機の運転時には、後方の羽根車が図面上右回転している場合を想定する。この時、前記回転レバー９を右回転方向（プラス方向とする）にθ回動させ、９ａの位置にしたとする。このような回転角度θを、インレットガイドベーン角度（以下、ＩＧＶ角度と略称する）と言う。この回転レバー９の回動により、入口側心棒７ａは固定された状態で、出口側心棒７ｂのみ同様にθだけ右回転する。
【００２７】
すると、吸込管８内に吸い込まれた気体は、この可撓性ベーン８のねじりによって、図２において右回転方向の旋回成分を付与される。即ち、前記羽根車の回転方向と同一方向の旋回流が発生して、前記圧縮機の羽根車との相対速度を低下させる。その結果、吸込流量（結果的には吐出流量）と吐出圧を低減させるのである。
【００２８】
逆に、前記回転レバー９を左方向（マイナス方向とする）に回動させると、吸込管８内に吸い込まれた気体は、この可撓性ベーン８のねじりによって、図２において左回転方向の旋回成分を付与される。即ち、前記羽根車の回転方向と逆方向の旋回流が発生して、この圧縮機の羽根車との相対速度が増加し、結果として吸込流量と吐出圧を増加させるのである。
【００２９】
前記回転レバー８の回動作動は、必要に応じて手動操作するのでも良いが、気体やオイルを作動流体とする流体シリンダーや電動シリンダーによって作動させるのが好ましい。更に、このようなシリンダーはポジショナ付とし、図示しない制御器からの指令信号によって、必要とする所定位置に停止させるよう構成されるのが好ましい。
【００３０】
以上の如く、本発明の実施の形態１に係るインレットガイドベーンによれば、前記入口側心棒７ａと出口側心棒７ｂとに両端を軸心方向に固定して張設された可撓性ベーン８を、前記回転軸５に固定された回転レバー９を回動させることによって、吸込気体に旋回流を付与できるので、簡便な機構で吸込管内の流れを乱すことなく、効率的に吐出流量や吐出圧の増減を広範囲になすことが可能となる。
【００３１】
次に、本発明の実施の形態２に係るインレットガイドベーンについて、本発明の実施の形態２に係るインレットガイドベーンを説明するための縦断面図である図３を用いて以下に説明する。尚、本発明の実施の形態２が上記実施の形態１と相違するところは、インレットガイドベーンの支持構造に相違があり、その他は同構成であるから、上記実施の形態１と同一のものに同一符号を付して、その相違する点について以下説明する。
【００３２】
即ち、本発明の実施の形態２に係るインレットガイドベーン１は、図３に示す如く、吸込管３出口側において吸込管内壁３ａに嵌合され、かつその吸込管内壁３ａには固定されていない第２内接リング４ｂを備えている。同時に、前記吸込管３の出口側の前記回転軸５に出口側心棒７ｂの一端が固定し、出口側心棒７ｂの他端がこの第２内接リング４ｂに固定して半径方向に配設された構成をなしている。
【００３３】
この第２内接リング４ｂに係る構成により、回転軸５を吸込管３入口側で軸受６にて支持するのみならず、吸込管３出口側でも支持することになる。これにより、回転軸５が撓んだり、吸込管３の軸心からずれるようなことがないので、回転レバー９による回動がより円滑となる。
【００３４】
尚、この第２内接リング４ｂの前記吸込管内壁３ａとの嵌合部を、軸心方向に摺動可能な構成とするのが好ましい。例えば、前記第２内接リング４ｂの外周部に数個の突起部を設け、これらの突起部に対向する吸込管内壁３ａに軸心方向に延びた溝部を設け、前記突起部と溝部とを嵌め合わせて軸心方向に摺動可能なような構造が好適である。このような軸心方向の摺動機能によって、可撓性ベーンのねじれによる軸心方向の伸縮を吸収させ、前記可撓性ベーンへの負荷を解消してその寿命を延長することができる。
【００３５】
また、上記の構成に代え、回転軸５をその長手方向に往復動不可とし、第２内接リング４ｂを吸込管内壁３ａとの嵌合部を軸心方向に摺動不可とする一方で、第１内接リング４ａを吸込管内壁３ａに固定せず、吸込管内壁３ａとの嵌合部を軸心方向に摺動可能な構成としても良い。
【００３６】
次に、本発明の実施の形態３に係るインレットガイドベーンについて、図４および図５を用いて以下に説明する。図４は本発明の実施の形態３に係るインレットガイドベーンを説明するための縦断面図、図５は図４のＢ−Ｂ矢視図である。尚、本発明の実施の形態３が上記実施の形態１と相違するところは、インレットガイドベーンの支持構造に相違があり、その他は同構成であるから、上記実施の形態１と同一のものに同一符号を付して、その相違する点について以下説明する。
【００３７】
即ち、本発明の実施の形態３に係るインレットガイドベーン１は、図３および図４に示す如く、吸込管３の入口側内壁３ａに嵌合された第１内接リング４ａと同様に、前記吸込管３の出口側内壁３ａには第２内接リング４ｂを備えている。但し、前記第１内接リング４ａは吸込管内壁３ａに固定されているが、第２内接リング４ｂは、例えば図４に示すように、吸込管内壁３ａに円周状の溝部を形成して前記リング４ｂの外周部との間に隙間を設け、この隙間に鋼球１１が挿入されて回動自在に支持されている。
【００３８】
また、前記吸込管３の入口側には、前記第１内接リング４ａに両端を固定された複数本の入口側心棒７ａ、前記吸込管３の出口側には、前記第２内接リング４ｂに両端を固定され入口側心棒７ａと同数の出口側心棒７ｂが、夫々直径方向に交差して配設されている。そして、前記入口側心棒７ａと出口側心棒７ｂの各々に、可撓性ベーン８が両端を固定して軸心方向に張設されている。更に、前記第２内接リング４ｂ外周には、回転レバー９が取り付けられて構成されている。そして、この回転レバー９を回動させることによって、前記可撓性ベーン８に軸心方向のねじれを与えるのである。
【００３９】
そして更に、前記第１内接リング４ａを吸込管内壁３ａに固定せず、前記吸込管３の軸方向に摺動可能な構成とするのが好ましい。このような構成をなす具体的構造と好ましい理由は、前記実施の形態２で述べた通りである。第１内接リング４ａを吸込管内壁３ａに固定し、第２内接リング４ｂを吸込管３の軸心方向に摺動可能な構成としても良い。
【００４０】
また、上記図４に示した実施の形態では、前記第２内接リング４ｂが吸込管内壁３ａに回動自在に支持された例を示したが、逆に、回転レバーを取り付けた前記第１内接リング４ａが吸込管内壁３ａに回動自在に支持され、前記第２内接リング４ｂが吸込管内壁３ａに嵌合されて構成しても良い。
【００４１】
以上の如く、可撓性ガイドベーンにねじりを付与することによってインレットガイドベーンを構成する本発明によれば、ＩＧＶ角度θを正逆何れの方向にも回動可能なので、吸込流量（結果的には吐出流量）や吐出圧の幅広い増減運転が可能となる。
【００４２】
＜実施例＞
吐出圧力０．６９ＭＰａ、吸込流量４８００ｍ３／ｈの基本性能を有するターボ圧縮機に、本発明の実施の形態１に係るインレットガイドベーンを適用した場合の実施例について、以下図６を用いて説明する。図６は、本発明に係るインレットガイドベーンを適用したターボ圧縮機の性能曲線である。
【００４３】
図中、θで示すパラメータ値がＩＧＶ角度であり、このＩＧＶ角度θを６０度〜−６０度の間で変化させた場合の性能曲線を示している。図中、一点鎖線はサージング限界を示している。ここで、ＩＶＧ角度θの回動方向とターボ圧縮機の羽根車回転方向との関係は、前述した本発明の実施の形態１において説明した関係と同一である。
【００４４】
図６において、ＩＧＶ角度θを０度から増加するに従って、吸気流量と吐出圧が低減し、逆に、ＩＧＶ角度θを０度から低減するに従って、吸気流量と吐出圧が増加する傾向が認められる。
【００４５】
例えば、このターボ圧縮機に、本発明に係るインレットガイドベーンを適用してＩＧＶ角度θ＝−６０度で運転すると、吐出圧力０．６９ＭＰａにおける吸込流量が、ＩＧＶ角度θ＝０に相当する吸込流量４８００ｍ３／ｈを示す点Ｐから、吸込流量５２００ｍ３／ｈを示す点Ｑまで増加する。即ち、前記吸込流量の比が、５２００／４８００＝１．０８３であるから、インレットガイドベーンを適用しない場合より、８．３％増量するのである。
【００４６】
通常のターボ圧縮機に付帯されているインレットガイドベーンは、このガイドベーンを駆動させるリンク機構の関係から、前記ＩＧＶ角度θを０度以下にできない。従って、本発明に係るインレットガイドベーンによれば、このＩＧＶ角度θを０度以下にすることによって、上記の通り吸込流量を増量出来るという大きな利点を有する。即ち、同一仕様のターボ圧縮機でも、本発明に係るインレットガイドベーンを適用することによって、運転範囲が広くなり、使用流量の変化に対応した追従性が向上するのである。
【００４７】
以上のように、本発明に係るインレットガイドベーンによれば、吸込管入口側内壁に嵌合された第１内接リングと、前記吸込管内の軸心に沿って配置された回転軸と、前記吸込管入口側にあってこの回転軸を回動自在に支持する軸受と、前記軸受にその一端を固定され他端を前記第１内接リングに固定して半径方向に配設された入口側心棒と、前記吸込管出口側にあってその一端を前記回転軸に固定されるとともに、他端を前記吸込管内壁に非接触に半径方向に配設された出口側心棒と、前記入口側心棒と出口側心棒の各々に両端を固定して軸心方向に張設された可撓性ベーンと、前記回転軸の吸込管入口側端部に固定された回転レバーとを備えてなるので、従来は不可能であった吸込流量や吐出圧の広範囲な増減運転が効率的に行える。
【００４８】
また、前記吸込管入口側内壁に嵌合された第１内接リングと、前記吸込管出口側内壁に回動自在に支持された第２内接リングと、前記吸込管入口側にあって前記第１内接リングに両端を固定され直径方向に交差して配設された入口側心棒と、前記第２内接リングに両端を固定され直径方向に交差して配設された出口側心棒と、前記入口側心棒と出口側心棒とに両端を固定して軸心方向に張設された可撓性ベーンと、前記第１内接リングまたは第２内接リングに固定され、これを回動させることによって前記可撓性ベーンに軸方向のねじれを与えるための回転レバーとを備えてなるので、吸込管内に回転軸のない簡素な構成となり、吸込流に対する圧損を低減できる。
【図面の簡単な説明】
【００４９】
【図１】本発明の実施の形態１に係るインレットガイドベーンを説明するための縦断面図である。
【図２】図１のＡ−Ａ矢視図である。
【図３】本発明の実施の形態２に係るインレットガイドベーンを説明するための縦断面図である。
【図４】本発明の実施の形態３に係るインレットガイドベーンを説明するための縦断面図である。
【図５】図４のＢ−Ｂ矢視図である。
【図６】本発明に係るインレットガイドベーンを適用したターボ圧縮機の性能曲線である。
【図７】従来例に係る遠心圧縮機の一実施例を示す縦断面図である。
【図８】他の従来例に係るインレットガイドベーンの一実施例を示す縦断面図である。
【符号の説明】
【００５０】
１…インレットガイドベーン，    ２…羽根車，
３…吸込管，          ３ａ…吸込管内壁，
４ａ…第１内接リング，４ｂ…第２内接リング，
５…回転軸，                    ６…軸受，
７ａ…入口側心棒，    ７ｂ…出口側心棒
８…可撓性ベーン，      ９…回転レバー，      １０…流れ場，
１１…鋼球
【図１】
2007291888.tif 000003
【図２】
2007291888.tif 000004
【図３】
2007291888.tif 000005
【図４】
2007291888.tif 000006
【図５】
2007291888.tif 000007
【図６】
2007291888.tif 000008
【図７】
2007291888.tif 000009
【図８】
2007291888.tif 000010